【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
式１：
Ｘ−Ｓｉ（Ｒ１）（Ｒ２）Ｏ−（Ｓｉ（Ｒ３）（Ｒ４）Ｏ）ａ−Ｓｉ（Ｒ５）（Ｒ６）−Ｙ      （１）
の少なくとも一つの親水性シリコーンマクロマーを含む組成物であって、
式中、Ｒ１、Ｒ２、Ｒ３、Ｒ４、Ｒ５およびＲ６が、１から５０個の炭素原子を持ち、任意選択でヘテロ原子もしくはＩを含む一価の、直鎖、分岐もしくは環状のラジカルから独立して選択され、Ｉが、ＲＬ−ＲＰであり、ＲＬが一般構造−ＣＨ２−Ｃ（ＲｂＲ７）−（ＣＲ８Ｒ９）ｎを含む異性化可能でないヒドロシリル化に有効な末端オレフィンからの結合残基であり、ｎが１〜１０より選択される整数であり、Ｒ７、Ｒ８およびＲ９が、水素、ならびに１から１０個の炭素原子を持ち、任意選択でヘテロ原子を持つ一価の炭化水素ラジカルから独立して選択され、Ｒｂが、１から６個の炭素原子を持つ一価の炭化水素ラジカルから選択され、ＲＰが、水素、ヒドロキシルラジカル、または１から１００個の炭素原子を持ち、任意選択でヘテロ原子を持つ親水性有機ラジカルであり、ａは０から約５００であり、Ｘが、一価の直鎖、分岐もしくは環状ラジカルから選択されるフリーラジカル重合可能な基、Ｒ、またはＹであり、ここで、直鎖、分岐もしくは環状ラジカルは１から５０個の炭素原子を持ち、任意選択でヘテロ原子を持つものであり、Ｒが１から１０個の炭素原子を持つ直鎖もしくは分岐のアルキルであり、Ｙが、フリーラジカル重合化に有効な基Ｉ−Ｚであり、Ｚが１から２０個の炭素原子を持ち、任意選択でヘテロ原子を持つ二価の、直鎖、分岐もしくは環状ラジカルから独立して選択される官能性部分である、組成物。
【請求項２】
マクロマーが式：Ｙ−Ｓｉ（Ｒ１）（Ｒ２）Ｏ−（Ｓｉ（Ｒ３）（Ｒ４）Ｏ）ａ−Ｓｉ（Ｒ５）（Ｒ６）−Ｙ、または式：Ｒ−Ｓｉ（Ｒ１）（Ｒ２）Ｏ−（Ｓｉ（Ｒ３）（Ｒ４）Ｏ）ａ−Ｓｉ（Ｒ５）（Ｒ６）−Ｙの構造を持つ、請求項１に記載の組成物。
【請求項３】
Ｒ１、Ｒ２、Ｒ３、Ｒ４、Ｒ５およびＲ６が、独立してメチル、エチル、プロピル、イソプロピル、フェニル、ポリエーテル、および−ＣＨ２ＣＨ２ＣＦ３基から選択され、Ｒが、メチル、エチル、プロピル、イソプロピル、ブチルおよびイソブチル基から選択され、下付文字ａが、０〜５０から選択され、Ｒｂがメチルであり、Ｒ７、Ｒ８、およびＲ９が水素原子であり、下付文字ｎが１〜６から選択され、Ｒｐが一般式：
−Ｏ（ＣＨ２ＣＨ２Ｏ）ｂ（ＣＨ２ＣＨ（ＣＨ３）Ｏ）ｃ（ＣＨ２ＣＨ２ＣＨ２ＣＨ２Ｏ）ｄ−
のポリエーテル基であり、式中ｂは１〜１００であり、ｃは０〜１００であり、ｄは０〜１００であり、ｂ＋ｃ＋ｄ＞０であるようになっており、Ｘは一般式：
−Ｚ−Ｃ（Ｒ１０）＝Ｃ（Ｒ１１）（Ｒ１２）
のアクリラートもしくはアクリルアミドから選択でき、式中Ｒ１０、Ｒ１１およびＲ１２は、水素、１から１０個の炭素原子を持ち、任意選択でヘテロ原子、−ＣＯＯＨおよび−ＣＨ２ＣＯＯＨを含む一価のアルキル基から選択できる、請求項１または２に記載の組成物。
【請求項４】
ａが１〜５０である、請求項１〜３のいずれか一項に記載の組成物。
【請求項５】
ｎが１〜６である、請求項１〜４のいずれか一項に記載の組成物。
【請求項６】
Ｚが以下の官能性部分
【化１】
2015524001.tif 000001
【化２】
2015524001.tif 000002
【化３】
2015524001.tif 000003
【化４】
2015524001.tif 000004
【化５】
2015524001.tif 000005
【化６】
2015524001.tif 000006
の一つもしくはそれ以上より独立して選択される、請求項１〜５のいずれか一項に記載の組成物。
【請求項７】
Ｘがアクリラート、アクリルアミド、メタクリラート、メタクリルアミド、ビニル、アルキル、メタルキル、内部オレフィン結合含有分子、またはそれらの二つもしくはそれ以上の組み合わせから選択される、請求項１〜６のいずれか一項に記載の組成物。
【請求項８】
（ｉ）式：
【化７】
2015524001.tif 000007
のシリコーンマクロマーであって、
式中、Ｒ１３、Ｒ１４、Ｒ１６〜Ｒ１８が、独立して水素、メチル、エチル、イソプロピル、フェニル、フェニルメチル、ナフチル、ナフチルメチルおよび−ＣＨ２ＣＨ２ＣＦ３ラジカルから選択され、Ｒ１５がメチルであり、Ｇが独立して、水素、アルキルおよびアラルキル残基より選択され、下付文字ｐ、ｑおよびｒが独立して０〜５０であり、ｐ＋ｑ＋ｒ＞０となるようにされ、そして１＜（ｍ＋ｎ）＜５００であり、ｎ＞０という限定に従う、シリコーンマクロマー、または
（ｉｉ）式：
【化８】
2015524001.tif 000008
のシリコーンマクロマーであって、
式中、Ｒ１３、Ｒ１４、Ｒ１６〜Ｒ１８が、独立して水素、メチル、エチル、イソプロピル、フェニル、フェニルメチル、ナフチル、ナフチルメチルおよび−ＣＨ２ＣＨ２ＣＦ３ラジカルから選択され、Ｒ１５がメチルであり、Ｇが独立して、水素、アルキル、アリールおよびアラルキル残基より選択され、下付文字ｐおよびｒが独立して０〜５０であり、ｐ＋ｒ＞０となるようにされ、そして１＜（ｍ＋ｎ）＜５００であり、ｎ＞０という限定に従う、シリコーンマクロマー
を含む、請求項１〜７のいずれか一項に記載の組成物。
【請求項９】
組成物が水分散性もしくは水溶性であり、ｐ＋ｑ＋ｒが１０〜１００であり、ｍ＋ｎが０〜４００である、請求項８に記載の組成物。
【請求項１０】
組成物がヒドロゲルであって、フリーラジカル重合化可能な有機モノマー、開始剤、および任意選択で架橋剤を含み、ここでフリーラジカル重合化可能な有機モノマーが、Ｎ−ビニル−ピロリドン、Ｎ−ビニル−カプロラクタム、Ｎ−ビニル−アセトアミド、Ｎ−ビニル−ホルムアミド、Ｎ−ビニル−イソプロピルアミド、ビニルベンゼン、ビニルナフタレン、ビニルピリジン、ビニルアルコール、ビニル含有シリコーン、またはそれらの二つもしくはそれ以上の組み合わせから選択されるビニルモノマー、アクリドモノマー、２−ヒドロキシ−エチル−メタクリラート（ＨＥＭＡ）、２−ヒドロキシ−エチル−アクリラート（ＨＥＡ）、ヒドロキシルプロピルメタクリラート、トリメチルアンモニウム２−ヒドロキシプロピルメタクリラートヒドロクロリド、ジメチルアミノエチルメタクリラート、グリセロールメタクリラート、Ｎ，Ｎ−ジメチルアクリルアミド、Ｎ−イソプロピルアクリルアミド、アクリルアミド、メタクリルアミド、アクリル酸、メタクリル酸、アクリル化親水性オルガノシリコーンもしくはアクリル化疎水性オルガノシリコーン、またはそれらの二つもしくはそれ以上の組み合わせから選択されるアクリルモノマー、あるいはそれらの二つもしくはそれ以上の組み合わせから選択され、ここで架橋剤は、エチレングリコールジメタクリラート、トリメチロイルプロパントリメタクリラート、ジエチレングリコールジメタクリラート、ビスフェノールＡジメタクリラート、ジグリシジルビスフェノールＡジメタクリラート、ジメタクリラート末端化ポリエチレングリコール、反応性直鎖ポリエーテル修飾シリコーンもしくは反応性ペンダントポリエーテル修飾シリコーン、またはそれらの二つもしくはそれ以上の組み合わせから選択され、ここで開始剤は、２，２’−アゾビス（２，４−ジメチルペンタンニトリル）、２，２’−アゾビス（２−メチルプロパンニトリル）、２，２’−アゾビス（２−メチルブタンニトリル）、ベンゾイルペルオキシドのようなペルオキシド、ベンゾインメチルエーテル、ジエトキシアセトフェノン、ベンゾイルホスフィンオキシド、２−ヒドロキシ−２−メチルプロピオフェノン（ＨＭＰＰ）、１−ヒドロキシシクロヘキシルフェニルケトン、Ｄａｒｏｃｕｒ型開始剤、Ｉｒｇａｃｕｒｅ型開始剤、またはそれらの二つもしくはそれ以上の組み合わせから選択される熱開始剤もしくは光開始剤である、請求項１〜９のいずれか一項に記載の組成物。
【請求項１１】
親水性シリコーンマクロマーが、ヒドロゲル組成物の約５重量パーセントから約５０重量パーセントの量で存在する、請求項１０に記載のヒドロゲル。
【請求項１２】
親水性シリコーンマクロマー対フリーラジカル重合可能な有機モノマーの比率が、約１：１００〜約１００：１、約１：５０〜約５０：１、約１：１０〜約１０：１、または約１：１である、請求項１０または１１に記載のヒドロゲル。
【請求項１３】
請求項１０〜１２のいずれか一項に記載の組成物より作製されるヒドロゲルフィルムを含むコンタクトレンズであって、ここで該コンタクトレンズは、１５〜１２５℃の範囲の抽出温度において、水、有機もしくは無機塩溶液、緩衝剤、エマルション、市販のレンズ洗浄溶液、もしくは眼科用に適合した溶液から選択される低公害もしくは水性の溶媒をさらに含む限定抽出プロトコールを含むことにより任意にて得られる、コンタクトレンズ。
【請求項１４】
組成物がフリーラジカル重合化エマルションおよびラテックス組成物から選択される、請求項１〜１２のいずれか一項に記載の組成物。
【請求項１５】
組成物が、布地処理配合物、紙処理配合物、皮革処理配合物、パーソナルケア配合物、ヘルスケア配合物、ホームケア配合物、コーティング配合物、塗料配合物、種子処理配合物におけるフィルム形成添加剤である、請求項１４に記載のフリーラジカル重合化組成物。